【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
あるメッセージ・カテゴリー内の新たなターゲット・コンテンツ・メッセージをモバイル・クライアントが受信することの適合性を判定するための方法であって、多数の異なるメッセージ・カテゴリーに関連している多数のターゲット・コンテンツ・メッセージが当該モバイル・クライアントのキャッシュに格納されている、当該方法において、
前記モバイル・クライアントによって、ユーザ・プロファイルを生成すること、
前記新たなターゲット・コンテンツ・メッセージに関連するターゲット・プロファイルを受信することと、
前記ユーザ・プロファイルを前記ターゲット・プロファイルと比較して、前記モバイル・クライアントに好適する、前記新たなターゲットとされるコンテンツ・メッセージのメッセージ値を生成するところの比較することと、
前記メッセージ・カテゴリーに関連される前記多数のターゲット・コンテンツ・メッセージのある対応セット内のある所与のコンテンツ・メッセージのある所与のメッセージ値よりも前記キャッシュ信頼レベルが大きいかを決定することと、及び
前記決定に基づいて、前記所与のコンテンツ・メッセージを前記モバイル・クライアントにおける前記新たなターゲット・コンテンツに置き換えることと、  を備える方法。
【請求項２】
前記比較することは、ファジー論理アルゴリズムの実施、ニューラルネットアルゴリズムの実施、ドット積アルゴリズムの実施を含む請求項１に記載の方法。
【請求項３】
前記比較することは、最大−最小検定の実施を含む請求項１に記載の方法。
【請求項４】
前記比較することは、統計平均、曲線の当てはめ、および回帰分析の少なくとも１つを含む請求項１に記載の方法。
【請求項５】
前記比較することは、ｎ次元ベクトルの少なくともスカラー操作を含む請求項１に記載の方法。
【請求項６】
前記ユーザ・プロファイルは、前記モバイル・クライアントのユーザの年齢範囲、前記モバイル・クライアントのユーザの関心対象の位置、前記モバイル・クライアントの前記ユーザに関する仕事場所、前記モバイル・クライアントの前記ユーザに関する娯楽場所、前記モバイル・クライアントのユーザに関する収入見込みの範囲を含む請求項１に記載の方法。
【請求項７】
あるメッセージ・カテゴリー内の新たなターゲット・コンテンツ・メッセージをモバイル・クライアントが受信することの適合性を判定するためのモバイル・クライアントであって、多数の異なるメッセージ・カテゴリーに関連している多数のターゲット・コンテンツ・メッセージが当該モバイル・クライアントのキャッシュに格納されている、当該モバイル・クライアントは、
前記モバイル・クライアントによって、ユーザ・プロファイルを生成するように構成されているプロファイル生成回路と、
前記新たなターゲット・コンテンツ・メッセージに関連するターゲット・プロファイルを受信するように構成されている受信回路と、
前記ユーザ・プロファイルを前記ターゲット・プロファイルと比較して、前記モバイル・クライアントに好適する、前記新たなターゲットとされるコンテンツ・メッセージのメッセージ値を生成するところの比較するように構成されている比較回路と、
前記メッセージ・カテゴリーに関連される前記多数のターゲット・コンテンツ・メッセージのある対応セット内のある所与のコンテンツ・メッセージのある所与のメッセージ値よりも前記キャッシュ信頼レベルが大きいかを決定するように構成されている決定回路と、及び
前記決定に基づいて、前記所与のコンテンツ・メッセージを前記モバイル・クライアントにおける前記新たなターゲット・コンテンツに置き換えるように構成されているキャッシュ制御回路と、
を備えるモバイル・クライアント。
【請求項８】
前記比較回路は、ファジー論理アルゴリズム、ニューラルネットアルゴリズム及びドット積アルゴリズムを実施する請求項７に記載のモバイル・クライアント。
【請求項９】
前記比較回路は、最大−最小検定の実施を含む請求項７に記載のモバイル・クライアント。
【請求項１０】
前記比較回路は、統計平均、曲線の当てはめ、および回帰分析の少なくとも１つを実施する回路を含む請求項７に記載のモバイル・クライアント。
【請求項１１】
前記比較回路は、ｎ次元ベクトルの少なくともスカラー操作を実施する回路を含む請求項７に記載のモバイル・クライアント。
【請求項１２】
前記ユーザ・プロファイルは、前記モバイル・クライアントのユーザの年齢範囲、前記モバイル・クライアントのユーザの関心対象の位置、前記モバイル・クライアントの前記ユーザに関する仕事場所、前記モバイル・クライアントの前記ユーザに関する娯楽場所、前記モバイル・クライアントのユーザに関する収入見込みの範囲を含む請求項７に記載のモバイル・クライアント。
【請求項１３】
あるメッセージ・カテゴリー内の新たなターゲット・コンテンツ・メッセージをモバイル・クライアントが受信することの適合性を判定するためのモバイル・クライアントであって、多数の異なるメッセージ・カテゴリーに関連している多数のターゲット・コンテンツ・メッセージが当該モバイル・クライアントのキャッシュに格納されている、当該モバイル・クライアントは、
前記モバイル・クライアントによって、ユーザ・プロファイルを生成する手段と、
前記新たなターゲット・コンテンツ・メッセージに関連するターゲット・プロファイルを受信する手段と、
前記ユーザ・プロファイルを前記ターゲット・プロファイルと比較して、前記モバイル・クライアントに好適する、前記新たなターゲットとされるコンテンツ・メッセージのメッセージ値を生成するところの比較する手段と、
前記メッセージ・カテゴリーに関連される前記多数のターゲット・コンテンツ・メッセージのある対応セット内のある所与のコンテンツ・メッセージのある所与のメッセージ値よりも前記キャッシュ信頼レベルが大きいかを決定する手段と、及び
前記決定に基づいて、前記所与のコンテンツ・メッセージを前記モバイル・クライアントにおける前記新たなターゲット・コンテンツに置き換える手段と、
を備えるモバイル・クライアント。
【請求項１４】
前記比較手段は、ファジー論理アルゴリズム、ニューラルネットアルゴリズム及びドット積アルゴリズムを用いている請求項１３に記載のモバイル・クライアント。
【請求項１５】
前記比較回路は、最大−最小検定の実施を含む請求項１３に記載のモバイル・クライアント。
【請求項１６】
前記比較手段は、統計平均、曲線の当てはめ、および回帰分析の少なくとも１つを用いている請求項１３に記載のモバイル・クライアント。
【請求項１７】
前記比較手段は、ｎ次元ベクトルの少なくともスカラー操作を用いている請求項１３に記載のモバイル・クライアント。
【請求項１８】
前記ユーザ・プロファイルは、前記モバイル・クライアントのユーザの年齢範囲、前記モバイル・クライアントのユーザの関心対象の位置、前記モバイル・クライアントの前記ユーザに関する仕事場所、前記モバイル・クライアントの前記ユーザに関する娯楽場所、前記モバイル・クライアントのユーザに関する収入見込みの範囲を含む請求項１３に記載のモバイル・クライアント。
【請求項１９】
あるメッセージ・カテゴリー内の新たなターゲット・コンテンツ・メッセージをモバイル・クライアントが受信することの適合性を判定するためのモバイル・クライアントであって、多数の異なるメッセージ・カテゴリーに関連している多数のターゲット・コンテンツ・メッセージが当該モバイル・クライアントのキャッシュに格納されている、当該モバイル・クライアントは、
メモリと、
プロセッサであって、
前記モバイル・クライアントによって、ユーザ・プロファイルを生成する動作と、
前記新たなターゲット・コンテンツ・メッセージに関連するターゲット・プロファイルを受信する動作と、
前記ユーザ・プロファイルを前記ターゲット・プロファイルと比較して、前記モバイル・クライアントに好適する、前記新たなターゲットとされるコンテンツ・メッセージのメッセージ値を生成するところの比較する動作と、
前記メッセージ・カテゴリーに関連される前記多数のターゲット・コンテンツ・メッセージのある対応セット内のある所与のコンテンツ・メッセージのある所与のメッセージ値よりも前記キャッシュ信頼レベルが大きいかを決定する動作と、及び
前記決定に基づいて、前記所与のコンテンツ・メッセージを前記モバイル・クライアントにおける前記新たなターゲット・コンテンツに置き換える動作と、
を実行可能に前記メモリに接続されているプロセッサと、
備えるモバイル・クライアント。
【請求項２０】
多数の異なるメッセージ・カテゴリーに関連している多数のターゲット・コンテンツ・メッセージがモバイル・クライアントのキャッシュに格納され、当該モバイル・クライアントのコンピュータによって命令が実行された際に、あるメッセージ・カテゴリー内の新たなターゲット・コンテンツ・メッセージをモバイル・クライアントが受信することの適合性を前記コンピュータに判定させる命令を含んでいるコンピュータ・プログラムを格納しているコンピュータ可読記憶媒体において、前記命令は、
前記モバイル・クライアントによって、ユーザ・プロファイルを生成することと、
前記新たなターゲット・コンテンツ・メッセージに関連するターゲット・プロファイルを受信することと、
前記ユーザ・プロファイルを前記ターゲット・プロファイルと比較して、前記モバイル・クライアントに好適する、前記新たなターゲットとされるコンテンツ・メッセージのメッセージ値を生成するところの比較することと、
前記メッセージ・カテゴリーに関連される前記多数のターゲット・コンテンツ・メッセージのある対応セット内のある所与のコンテンツ・メッセージのある所与のメッセージ値よりも前記キャッシュ信頼レベルが大きいかを決定することと、及び
前記決定に基づいて、前記所与のコンテンツ・メッセージを前記モバイル・クライアントにおける前記新たなターゲット・コンテンツに置き換えることと、
を備えている、コンピュータ可読記憶媒体。